(57)【要約】【課題】小型かつ高効率で汚濁水を処理可能な汚濁水浄化装置を提供する。【解決手段】汚濁水１１（クーラント廃液または車両洗浄廃水を含む廃液を除く。）に環境浄化剤Ｔ・Ｐ・Ｒを混入する混入手段１４又は混入攪拌手段２４ａ、２４ｂを備えることを特徴とする汚濁水浄化装置。また、汚濁水１１（クーラント廃液または車両洗浄廃水を含む廃液を除く。）に環境浄化剤Ｔ・Ｐ・Ｒを混入する混入手段１４と、前記汚濁水１１と環境浄化剤Ｔ・Ｐ・Ｒとを攪拌し、処理液とする攪拌手段２０と、前記処理液を導入して凝集物質を沈殿させ分離する沈殿槽３１を有する沈殿手段３０と、沈殿した凝集物質を導入して脱水汚泥とする脱水手段４０と、を備えることを特徴とする汚濁水浄化装置。【選択図】        図５
2004209357.tif 000002
【特許請求の範囲】
【請求項１】
汚濁水（クーラント廃液または車両洗浄廃水を含む廃液を除く。）に環境浄化剤Ｔ・Ｐ・Ｒを混入する混入手段又は混入攪拌手段を備えることを特徴とする汚濁水浄化装置。
【請求項２】
汚濁水（クーラント廃液または車両洗浄廃水を含む廃液を除く。）に環境浄化剤Ｔ・Ｐ・Ｒを混入する混入手段と、
前記汚濁水と環境浄化剤Ｔ・Ｐ・Ｒとを攪拌し、処理液とする攪拌手段と、
前記処理液を導入して凝集物質を沈殿させ分離する沈殿槽を有する沈殿手段と、
沈殿した凝集物質を導入して脱水汚泥とする脱水手段と、
を備えることを特徴とする汚濁水浄化装置。
【請求項３】
前記攪拌手段は、ミキサー方式の攪拌手段であることを特徴とする請求項２記載の汚濁水浄化装置。
【請求項４】
汚濁水（クーラント廃液または車両洗浄廃水を含む廃液を除く。）に環境浄化剤Ｔ・Ｐ・Ｒを混入、攪拌し、処理液とする混入攪拌手段と、
前記処理液を導入して凝集物質を沈殿させ分離する沈殿槽を有する沈殿手段と、
沈殿した凝集物質を導入して脱水汚泥とする脱水手段と、
を備えることを特徴とする汚濁水浄化装置。
【請求項５】
前記混入攪拌手段は、環境浄化剤Ｔ・Ｐ・Ｒを高圧空気と共に前記汚濁水中に混入し、高圧空気により前記環境浄化剤Ｔ・Ｐ・Ｒと前記汚濁水とを攪拌することを特徴とする請求項４記載の汚濁水浄化装置。
【請求項６】
前記混入攪拌手段は、環境浄化剤Ｔ・Ｐ・Ｒを高圧水と共に前記汚濁水中に混入し、高圧水により前記環境浄化剤Ｔ・Ｐ・Ｒと前記汚濁水とを攪拌することを特徴とする請求項４記載の汚濁水浄化装置。
【請求項７】
前記高圧水は、前記汚濁水又は沈殿槽の上層水を水源とすることを特徴とする請求項６記載の汚濁水浄化装置。
【請求項８】
前記攪拌手段は、前記汚濁水をバッチ凝集処理した後排出する攪拌槽を複数個備え、個々の攪拌槽を順次サイクル運転し、連続的に凝集処理した処理液を沈殿槽に送ることを特徴とする請求項２記載の汚濁水浄化装置。
【請求項９】
前記混入攪拌手段は、前記汚濁水をバッチ処理した後排出する攪拌槽を複数個備え、個々の攪拌槽を順次サイクル運転し、連続的に凝集処理した処理液を沈殿槽に送ることを特徴とする請求項４記載の汚濁水浄化装置。
【請求項１０】
前記沈殿手段は、沈殿槽に沈殿している沈殿物質の有無を検出する沈殿物質有無検出手段を備え、前記沈殿物質有無検出手段の検出結果に応じて前記沈殿物質を排出することを特徴とする請求項２または４記載の汚濁水浄化装置。
【請求項１１】
前記沈殿手段は、沈殿槽に沈殿している沈殿物質と上層水との界面を検出する界面検出手段を備え、予め設定した界面高さの範囲を維持するように、前記沈殿物質を排出することを特徴とする請求項２または４記載の汚濁水浄化装置。
【請求項１２】
前記界面検出手段の検出結果に基づき環境浄化剤Ｔ・Ｐ・Ｒの混入量を制御することで、前記予め設定した界面高さの範囲を維持する制御手段を備えることを特徴とする請求項１１記載の汚濁水浄化装置。
【請求項１３】
汚濁水（クーラント廃液または車両洗浄廃水を含む廃液を除く。）の導入量と、前記汚濁水への環境浄化剤Ｔ・Ｐ・Ｒの混入量と、前記界面検出手段と、をコンピュータ制御するコンピュータ制御手段を備えることを特徴とする請求項１１記載の汚濁水浄化装置。
【発明の詳細な説明】
【０００１】
【発明の属する技術分野】
本発明は、汚濁水浄化装置に関するものである。
【０００２】
【従来の技術】
従来、汚濁水を浄化する汚濁水浄化装置が知られている（例えば、特許文献１、特許文献２参照）。
【０００３】
一般的に、汚濁水浄化装置では、懸濁物質を凝集させる凝集処理、凝集した凝集物質を分離する固液分離処理（沈澱処理等）、凝集物質を脱水する脱水処理等が行われる。
【０００４】
【特許文献１】
特開２００１−１５７８９９号公報
【特許文献２】
特開２０００−３２５７０４号公報
【０００５】
【発明が解決しようとする課題】
しかしながら、従来の技術で汚濁水を浄化処理する場合、既存の高分子凝集剤を用いることから凝集、沈澱処理のために数時間以上と長時間を要する。
【０００６】
従って、次の工程へ連続的に移行することができず、バッチ処理を余儀なくされていた。
【０００７】
また、凝集、沈澱処理に時間を要することから、高い効率で汚濁水を処理するためには、凝集処理、固液分離処理などの装置の規模を大きくして一度に大量の汚濁水を処理する必要があり、設備費及び処理費用も高くなってしまう。
【０００８】
本発明は、以上のような問題点に鑑みて為されたものであり、その目的とする処は、小型かつ高効率で汚濁水を処理可能な汚濁水浄化装置を提供することにある。
【０００９】
【課題を解決するための手段】
本発明は、下記の技術的構成により前記目的を達成できたものである。
【００１０】
（１）汚濁水（クーラント廃液または車両洗浄廃水を含む廃液を除く。）に環境浄化剤Ｔ・Ｐ・Ｒを混入する混入手段又は混入攪拌手段を備えることを特徴とする汚濁水浄化装置。
【００１１】
（２）汚濁水（クーラント廃液または車両洗浄廃水を含む廃液を除く。）に環境浄化剤Ｔ・Ｐ・Ｒを混入する混入手段と、前記汚濁水と環境浄化剤Ｔ・Ｐ・Ｒとを攪拌し、処理液とする攪拌手段と、前記処理液を導入して凝集物質を沈殿させ分離する沈殿槽を有する沈殿手段と、沈殿した凝集物質を導入して脱水汚泥とする脱水手段と、を備えることを特徴とする汚濁水浄化装置。
【００１２】
（３）前記攪拌手段は、ミキサー方式の攪拌手段であることを特徴とする前記（２）項記載の汚濁水浄化装置。
【００１３】
（４）汚濁水（クーラント廃液または車両洗浄廃水を含む廃液を除く。）に環境浄化剤Ｔ・Ｐ・Ｒを混入、攪拌し、処理液とする混入攪拌手段と、前記処理液を導入して凝集物質を沈殿させ分離する沈殿槽を有する沈殿手段と、沈殿した凝集物質を導入して脱水汚泥とする脱水手段と、を備えることを特徴とする汚濁水浄化装置。
【００１４】
（５）前記混入攪拌手段は、環境浄化剤Ｔ・Ｐ・Ｒを高圧空気と共に前記汚濁水中に混入し、高圧空気により前記環境浄化剤Ｔ・Ｐ・Ｒと前記汚濁水とを攪拌することを特徴とする前記（４）項記載の汚濁水浄化装置。
【００１５】
（６）前記混入攪拌手段は、環境浄化剤Ｔ・Ｐ・Ｒを高圧水と共に前記汚濁水中に混入し、高圧水により前記環境浄化剤Ｔ・Ｐ・Ｒと前記汚濁水とを攪拌することを特徴とする前記（４）項記載の汚濁水浄化装置。
【００１６】
（７）前記高圧水は、前記汚濁水又は沈殿槽の上層水を水源とすることを特徴とする前記（６）項記載の汚濁水浄化装置。
【００１７】
（８）前記攪拌手段は、前記汚濁水をバッチ凝集処理した後排出する攪拌槽を複数個備え、個々の攪拌槽を順次サイクル運転し、連続的に凝集処理した処理液を沈殿槽に送ることを特徴とする前記（２）項記載の汚濁水浄化装置。
【００１８】
（９）前記混入攪拌手段は、前記汚濁水をバッチ処理した後排出する攪拌槽を複数個備え、個々の攪拌槽を順次サイクル運転し、連続的に凝集処理した処理液を沈殿槽に送ることを特徴とする前記（４）項記載の汚濁水浄化装置。
【００１９】
（１０）前記沈殿手段は、沈殿槽に沈殿している沈殿物質の有無を検出する沈殿物質有無検出手段を備え、前記沈殿物質有無検出手段の検出結果に応じて前記沈殿物質を排出することを特徴とする前記（２）項または（４）項記載の汚濁水浄化装置。
【００２０】
（１１）前記沈殿手段は、沈殿槽に沈殿している沈殿物質と上層水との界面を検出する界面検出手段を備え、予め設定した界面高さの範囲を維持するように、前記沈殿物質を排出することを特徴とする前記（２）項または（４）項記載の汚濁水浄化装置。
【００２１】
（１２）前記界面検出手段の検出結果に基づき環境浄化剤Ｔ・Ｐ・Ｒの混入量を制御することで、前記予め設定した界面高さの範囲を維持する制御手段を備えることを特徴とする前記（１１）項記載の汚濁水浄化装置。
【００２２】
（１３）汚濁水（クーラント廃液または車両洗浄廃水を含む廃液を除く。）の導入量と、前記汚濁水への環境浄化剤Ｔ・Ｐ・Ｒの混入量と、前記界面検出手段と、をコンピュータ制御するコンピュータ制御手段を備えることを特徴とする前記（１１）項記載の汚濁水浄化装置。
【００２３】
【発明の実施の形態】
本発明の汚濁水浄化装置は、概して汚濁水を攪拌手段又は混入攪拌手段に送り、環境浄化剤Ｔ・Ｐ・Ｒを混入手段又は混入攪拌手段で混入し、攪拌手段又は混入攪拌手段で汚濁水と環境浄化剤Ｔ・Ｐ・Ｒとを攪拌凝集処理し、処理液を沈殿手段に送り、沈殿手段で環境浄化剤Ｔ・Ｐ・Ｒの急速凝集沈殿作用により凝集物質を沈殿させ、上層水を排水し、凝集物質を脱水手段に送り、脱水手段で凝集物質を脱水処理し、排出ケーキとするものである。
【００２４】
以下、実施例を用いて説明する。
【００２５】
（実施例１）
図１は、実施例１の汚濁水浄化装置を示す図である。
【００２６】
１１は汚濁水、１２は水中ポンプ、１３は定流量弁、１４は混入手段、２０は、ミキサー方式の攪拌手段、２１は攪拌槽、２２はプロペラ、２３はモータ、３０は沈殿手段、３１は沈殿槽、３２は排出バルブ、３３は上層水、３４は、フロック等として沈殿した沈殿物質、４０は脱水手段、４１は脱水機、４２は、脱水汚泥である排出ケーキ、Ｐはスラリーポンプである。
【００２７】
攪拌槽２１、プロペラ２２、モータ２３は、攪拌手段２０を構成する。
【００２８】
沈殿槽３１、排出バルブ３２は、沈殿手段３０を構成する。
【００２９】
脱水機４１は、脱水手段４０を構成する。
【００３０】
まず、汚濁水１１を水中ポンプ１２でくみ上げ、定流量弁１３の制御により汚濁水１１の導入量を定流量的に攪拌手段２０へ送る。
【００３１】
その攪拌手段２０へ送る経路の途中で、混入手段１４により環境浄化剤Ｔ・Ｐ・Ｒを汚濁水１１に混入し、その環境浄化剤Ｔ・Ｐ・Ｒが混入した汚濁水１１を攪拌槽２１に送り、攪拌手段２０のプロペラ２２をモータ２３で作動させ、汚濁水１１と混入させた環境浄化剤Ｔ・Ｐ・Ｒとを攪拌、凝集処理し、処理液とする。
【００３２】
次に、その処理液を沈殿手段３０の沈殿槽３１に送って凝集物質を沈殿させて沈殿物質３４とし、排出バルブ３２を開放して沈殿物質３４を汚泥として排出し、上層水３３は放流等する。
【００３３】
排出した汚泥は、スラリーポンプＰを用いて脱水手段４０を構成する脱水機４０へ送る。
【００３４】
次に、排出した汚泥を脱水機４１にて脱水し、脱水分離した水分は放流し、脱水された固形分は排出ケーキ４２として乾燥・焼却等の処理をする。
【００３５】
本実施例の汚濁水浄化装置で、例えば毎分１００リットルの汚濁水１１を処理する場合、汚濁水１１に投入した環境浄化剤Ｔ・Ｐ・Ｒを攪拌する攪拌手段２０は、環境浄化剤Ｔ・Ｐ・Ｒの凝集処理特性が優れ、処理にかかる時間が短時間であることにより大型の攪拌槽２１を必要とせず５０リットル程の容量を持つ攪拌槽２１とすることができる。
【００３６】
なお、環境浄化剤Ｔ・Ｐ・Ｒの混入手段１４は可変かつ連続定量投入できる装置であればどのような装置でも差し支えない。
【００３７】
また、沈殿処理が極めて短時間に処理できるため、沈殿槽３１も小型のものでよい。
【００３８】
例えば、毎分１００リットルの汚濁水１１を処理する場合、１立方メートル程度の容量を持つ沈殿槽３１を設置すればよい。
【００３９】
また、凝集沈殿し排出された汚泥は、脱水性に優れているため、脱水機４１は小型のものでよい。
【００４０】
脱水機４１はベルトプレス型、フィルタプレス型等の既存のもので差し支えない。
【００４１】
（実施例２）
図２は、実施例２の汚濁水浄化装置を示す図である。
【００４２】
本実施例の構成は、混入手段１４の位置を除いて、実施例１と同一であり、同一の箇所には同一の符号を付し、詳細な説明を省略する。
【００４３】
本実施例では、混入手段１４は攪拌槽の近傍にあり、環境浄化剤Ｔ・Ｐ・Ｒを直接攪拌槽２１に混入させる。
【００４４】
このような構成でも、実施例１と同様の効果を得ることができる。
【００４５】
（実施例３）
図３は、実施例３の汚濁水浄化装置を示す図である。
【００４６】
本実施例の構成は、混入手段１４、攪拌手段２０を除いて、実施例２と同一であり、同一の箇所には同一の符号を付し、詳細な説明を省略する。
【００４７】
２０ａは混入攪拌手段、２４ａは、高圧空気と共に環境浄化剤Ｔ・Ｐ・Ｒを混入する混入攪拌機である。
【００４８】
攪拌槽２１、混入攪拌機２４ａは、混入攪拌手段２０ａを構成する。
【００４９】
汚濁水１１を攪拌槽２１に送り、混入攪拌機２４ａで攪拌槽２１内の汚濁水１１中に高圧空気と共に環境浄化剤Ｔ・Ｐ・Ｒを混入し、高圧空気により汚濁水１１と環境浄化剤Ｔ・Ｐ・Ｒとを攪拌させる。
【００５０】
なお、高圧空気による攪拌と、小型のミキサー方式の攪拌手段による攪拌とを併用してもよい。
【００５１】
このような構成でも、実施例１と同様の効果を得ることができる。
【００５２】
（実施例４）
図４は、実施例４の汚濁水浄化装置を示す図である。
【００５３】
本実施例の構成は、混入攪拌手段２０ａ、混入攪拌機２４ａを除いて、実施例３と同一であり、同一の箇所には同一の符号を付し、詳細な説明を省略する。
【００５４】
２０ｂは混入攪拌手段、２４ｂは、高圧水と共に環境浄化剤Ｔ・Ｐ・Ｒを混入する混入攪拌機である。
【００５５】
攪拌槽２１、混入攪拌機２４ｂは、混入攪拌手段２０ｂを構成する。
【００５６】
汚濁水１１を攪拌槽２１に送り、混入攪拌機２４ｂで攪拌槽２１内の汚濁水１１中に高圧水と共に環境浄化剤Ｔ・Ｐ・Ｒを混入し、高圧水により汚濁水１１と環境浄化剤Ｔ・Ｐ・Ｒとを攪拌させる。
【００５７】
なお、高圧水の水源としては、汚濁水１１又は沈殿槽３１の上層水３３等を用いることができる。
【００５８】
なおさらに、高圧水による攪拌と、小型のミキサー方式の攪拌手段による攪拌とを併用してもよい。
【００５９】
このような構成でも、実施例１と同様の効果を得ることができる。
【００６０】
（実施例５）
図５は、実施例５の汚濁水浄化装置を示す図である。
【００６１】
本実施例の構成は、攪拌手段２０の代わりに複数個の小型の攪拌手段を用い、それぞれの攪拌手段に導入バルブと排出バルブとを設けることを除いて、実施例１とほとんど同一であるので、同一の箇所には同一の符号を付し、詳細な説明を省略する。
【００６２】
１４Ｘ、１４Ｙ、１４Ｚは混入手段、２１Ｘ、２１Ｙ、２１Ｚは攪拌槽、２２Ｘ、２２Ｙ、２２Ｚはプロペラ、２３Ｘ、２３Ｙ、２３Ｚはモータ、２５Ｘ、２５Ｙ、２５Ｚは導入バルブ、２６Ｘ、２６Ｙ、２６Ｚは排出バルブ、２７Ｘ、２７Ｙ、２７Ｚは、ミキサー型の小型の攪拌手段である。
【００６３】
攪拌槽２１Ｘ、２１Ｙ、２１Ｚ、プロペラ２２Ｘ、２２Ｙ、２２Ｚ、モータ２３Ｘ、２３Ｙ、２３Ｚ、導入バルブ２５Ｘ、２５Ｙ、２５Ｚ、排出バルブ２６Ｘ、２６Ｙ、２６Ｚは、小型の攪拌手段２７Ｘ、２７Ｙ、２７Ｚをそれぞれ構成する。
【００６４】
複数個の小型の攪拌手段２７Ｘ、２７Ｙ、２７Ｚを設けて順次サイクル運転することにより、汚濁水１１の処理量を多くでき、また攪拌、凝集処理された処理液の沈殿槽３１への供給を休むことなく連続的にすることで、沈殿手段３０の沈殿・排出処理を効率よくできる。
【００６５】
本実施例の汚濁水浄化装置で、例えば毎分１００リットルの汚濁水を処理する場合、５０リットル程の攪拌手段を３個設置すれば、高い効率を保ったまま非常に丁寧な攪拌をも行うことができる。
【００６６】
３個の攪拌手段２７Ｘ、２７Ｙ、２７Ｚは、凝集処理をバッチ凝集処理方式にて行うが、汚濁水導入（以下、導入ともいう。）・攪拌・汚濁水排出（以下、排出ともいう。）をそれぞれ３０秒サイクルで切り換えることにより連続的に作業を行うことができる。
【００６７】
即ち、攪拌手段２７Ｘで攪拌が始まった時、攪拌手段２７Ｙは排出を、攪拌手段２７Ｚは導入を始めている。
【００６８】
そして、３０秒後攪拌手段２７Ｘは排出に、攪拌手段２７Ｙは導入に、攪拌手段２７Ｚは攪拌に切り換える。
【００６９】
そして、３０秒後攪拌手段２７Ｘは導入に、攪拌手段２７Ｙは攪拌に、攪拌手段２７Ｚは排出に切り換える。
【００７０】
攪拌手段２７Ｘ、２７Ｙ、２７Ｚの各導入バルブ２５Ｘ、２５Ｙ、２５Ｚおよび各排出バルブ２６Ｘ、２６Ｙ、２６Ｚを切り換えることにより、このサイクルを繰り返し、連続的に運転を行う。
【００７１】
攪拌手段２７Ｘ、２７Ｙ、２７Ｚが小型であるので、複数個設けても設備費及び処理費用はそれほど高くならず、汚濁水１１の処理効率を高めること等ができる。
【００７２】
なお、環境浄化剤Ｔ・Ｐ・Ｒは攪拌前に順次投入するが、混入手段１４は可変かつ定量投入できる装置等であればどのようなものでも差し支えない。
【００７３】
（実施例６）
図６は、実施例６の汚濁水浄化装置を示す図である。
【００７４】
本実施例の構成は、複数の混入手段１４Ｘ、１４Ｙ、１４Ｚ、複数個の小型の攪拌手段２７Ｘ、２７Ｙ、２７Ｚの代わりに、複数個の小型の混入攪拌手段を用い、それぞれの混入攪拌手段は混入攪拌機を備えることを除いて、実施例５と同一であるので、同一の箇所には同一の符号を付し、詳細な説明を省略する。
【００７５】
２７ａＸ、２７ａＹ、２７ａＺは、小型の混入攪拌手段、２８ａＸ、２８ａＹ、２８ａＺは、高圧空気と共に環境浄化剤Ｔ・Ｐ・Ｒを混入する混入攪拌機である。
【００７６】
攪拌槽２１Ｘ、２１Ｙ、２１Ｚ、導入バルブ２５Ｘ、２５Ｙ、２５Ｚ、排出バルブ２６Ｘ、２６Ｙ、２６Ｚ、混入攪拌機２８ａＸ、２８ａＹ、２８ａＺは、小型の混入攪拌手段２７ａＸ、２７ａＹ、２７ａＺをそれぞれ構成する。
【００７７】
本実施例では、複数個の小型の攪拌槽２１内の汚濁水１１中に高圧空気と共に環境浄化剤Ｔ・Ｐ・Ｒを混入し、高圧空気により汚濁水１１と環境浄化剤Ｔ・Ｐ・Ｒとを攪拌する。
【００７８】
なお、高圧空気による攪拌と、小型のミキサー方式の攪拌手段による攪拌とを併用してもよい。
【００７９】
また、複数個の小型の混入攪拌手段２７ａＸ、２７ａＹ、２７ａＺを設けて順次サイクル運転することにより、汚濁水１１の処理量を多くでき、また攪拌、凝集処理された処理液の沈殿槽３１への供給を休むことなく連続的にすることで、沈殿手段３０の沈殿・排出処理を効率よくできる。
【００８０】
このような構成でも、実施例５と同様の効果を得ることができる。
【００８１】
（実施例７）
図７は、実施例７の汚濁水浄化装置を示す図である。
【００８２】
本実施例の構成は、小型の混入攪拌手段２７ａＸ、２７ａＹ、２７ａＺ、混入攪拌機２８ａＸ、２８ａＹ、２８ａＺを除いて、実施例６と同一であり、同一の箇所には同一の符号を付し、詳細な説明を省略する。
【００８３】
２７ｂＸ、２７ｂＹ、２７ｂＺは、小型の混入攪拌手段、２８ｂＸ、２８ｂＹ、２８ｂＺは、高圧水と共に環境浄化剤Ｔ・Ｐ・Ｒを混入する混入攪拌機である。
【００８４】
攪拌槽２１Ｘ、２１Ｙ、２１Ｚ、導入バルブ２５Ｘ、２５Ｙ、２５Ｚ、排出バルブ２６Ｘ、２６Ｙ、２６Ｚ、混入攪拌機２８ｂＸ、２８ｂＹ、２８ｂＺは、小型の混入攪拌手段２７ｂＸ、２７ｂＹ、２７ｂＺをそれぞれ構成する。
【００８５】
本実施例では、複数の小型の攪拌槽２１内の汚濁水１１中に高圧水と共に環境浄化剤Ｔ・Ｐ・Ｒを混入し、高圧水により汚濁水１１と環境浄化剤Ｔ・Ｐ・Ｒとを攪拌する。
【００８６】
なお、高圧水の水源としては、汚濁水１１又は沈殿槽３１の上層水３３等を用いることができる。
【００８７】
なおさらに、高圧水による攪拌と、小型のミキサー方式の攪拌手段による攪拌とを併用してもよい。
【００８８】
また、複数の小型の混入攪拌手段２７ｂＸ、２７ｂＹ、２７ｂＺを設けて順次サイクル運転することにより、汚濁水１１の処理量を多くでき、また攪拌、凝集処理された処理液の沈殿槽３１への供給を休むことなく連続的にすることで、沈殿手段３０の沈殿・排出処理を効率よくできる。
【００８９】
このような構成でも、実施例５と同様の効果を得ることができる。
【００９０】
（実施例８）
次に、図８および図９を用いて実施例８を説明する。
【００９１】
図８は、実施例８の汚濁水浄化装置を示す図、図９は、本発明における制御手段を示す図である。
【００９２】
本実施例の構成は、界面検出センサ、コンピュータシステムを備えることを除いて実施例６と同一であり、同一の箇所には同一の符号を付し、詳細な説明を省略する。
【００９３】
３０ａは沈殿手段、３５は、沈殿手段３０ａに備えられた沈殿物質有無検出手段であり界面検出手段である界面検出センサ、５０は、制御手段でありコンピュータ制御手段であるコンピュータシステムである。
【００９４】
界面検出センサ３５は、沈殿槽３１にフロック等として沈殿する沈殿物質３４の有無を検出し、又は沈殿物質３４と上層水３３との界面を検出するセンサであり、例えば超音波式の界面検出装置を用いることができる。
【００９５】
コンピュータシステム５０は、界面検出センサ３５の検出結果に基づいて、水中ポンプ１２、定流量弁１３、導入バルブ２５Ｘ、２５Ｙ、２５Ｚ、排出バルブ２６Ｘ、２６Ｙ、２６Ｚ、混入攪拌機２８ａＸ、２８ａＹ、２８ａＺ、排出バルブ３２、スラリーポンプＰ、脱水機４１等を制御する。
【００９６】
本実施例の汚濁水浄化装置では、水中ポンプ１２及び定流量弁１３を作動させて導入量を定流量的に汚濁水１１を混入攪拌手段２７ａ、２７ａＹ、２７ａＺに送り、導入バルブ２５Ｘ、２５Ｙ、２５Ｚを用いて攪拌槽２１Ｘ、２１Ｙ、２１Ｚに導入する。
【００９７】
また、混入攪拌手段２７ａＸ、２７ａＹ、２７ａＺでは、汚濁水１１に環境浄化剤Ｔ・Ｐ・Ｒを所定の方法により混入攪拌させる。
【００９８】
このとき、汚濁水１１の導入量および環境浄化剤Ｔ・Ｐ・Ｒの混入量は、予めプログラムされた環境浄化剤Ｔ・Ｐ・Ｒの汚濁水１１に対する混入率をもって、コンピュータシステム５０により制御する。
【００９９】
この混入率は、攪拌、凝集処理を行う攪拌工程の次工程である沈殿工程の沈殿槽３１における沈殿物質３４の凝集沈殿の堆積速度を維持または可変することにより、予め設定した界面高さの範囲を維持することを目的として定められる。
【０１００】
まず、凝集沈殿の堆積速度を維持することを目的とする場合について説明する。
【０１０１】
例えば、沈殿工程の沈殿槽３１に攪拌槽２１Ｘ、２１Ｙ、２１Ｚから凝集処理された処理液が連続的に供給されるとき、一定の凝集沈殿の堆積速度を維持することで、界面高さを、予め設定した界面高さの範囲に維持することが容易となる。
【０１０２】
通常、沈殿工程の沈殿槽３１において、沈殿物質３４の界面検出センサ３５の検出結果である測定データが、予めプログラムしてある汚泥排出開始レベルを超過したとき、沈殿槽３１の汚泥排出バルブ３２を開け、スラリーポンプＰを駆動し、汚泥を次の脱水工程へ移行させる。
【０１０３】
そして、汚泥排出により沈殿槽３１内の堆積汚泥の量が減少して、予めプログラムしてある汚泥排出停止レベルに達したとき、スラリーポンプＰを停止させ、汚泥排出バルブ３２を閉じる。
【０１０４】
このようなとき、沈殿槽３１内で環境浄化剤Ｔ・Ｐ・Ｒの急速凝集作用により汚濁物質がフロックとして概ね一定速度で沈殿を続けるようにすることで、沈殿堆積レベルを、予めプログラムした排出継続可能領域（汚泥排出開始レベルと汚泥排出停止レベルとの間の領域）に維持すること、すなわち、界面高さを、予め設定した界面高さの範囲に維持することが容易となる。
【０１０５】
次に、凝集沈殿の堆積速度を可変することを目的とする場合について説明する。
【０１０６】
例えば、汚泥排出により界面検出センサ３５の検出結果である測定データが、予め定めた汚泥排出停止レベルに接近しているときに、凝集沈殿速度を上げて汚泥堆積レベルを上げるために、前工程の攪拌工程における環境浄化剤Ｔ・Ｐ・Ｒの混入率を上げる制御をする。
【０１０７】
この制御は、界面検出センサ３５が検出する測定データをコンピュータシステム５０が監視し、環境浄化剤Ｔ・Ｐ・Ｒの混入率の制御することだけでなく、汚濁水浄化装置全体をコンピュータ及びプログラムからなるコンピュータシステム５０により制御運転することによっても行うことができる。
【０１０８】
このように制御することで、高効率な汚濁水１１の浄化を行うことができる。
【０１０９】
また、汚濁水１１の導入量と、汚濁水１１への環境浄化剤Ｔ・Ｐ・Ｒの混入量と、前記界面検出手段３５と、をコンピュータシステム５０により一括してコンピュータ制御することで、設備に合わせた適切な効率で汚濁水１１の浄化を行うこと、所望の効率で汚濁水１１の浄化を行うこと等が可能となる。
【０１１０】
なお、本実施例では、所定の構成の汚濁水浄化装置についてコンピュータシステムによるコンピュータ制御を行う場合を示したが、実施例１〜実施例７の構成の汚濁水浄化装置やその他の構成の汚濁水浄化装置についても同様に制御できることはいうまでもない。
【０１１１】
なおさらに、制御手段として、コンピュータシステムに限らず、他の装置等を用いてもよい。
【０１１２】
【発明の効果】
以上説明したように、本発明によれば、小型かつ高効率で汚濁水を処理可能な汚濁水浄化装置を提供することができる。
【０１１３】
すなわち、汚濁水を浄化処理する場合、既存の高分子凝集剤等を用いた汚濁水浄化装置では、凝集・沈殿処理のために数時間以上と長時間を要していたが、環境浄化剤Ｔ・Ｐ・Ｒの混入手段又は混入攪拌手段を用いた汚濁水浄化装置では、凝集処理は３０秒程度、沈殿処理は１０分程度の極めて短時間で終了することができ、小型かつ高効率で汚濁水を処理が可能な汚濁水浄化装置を提供できる。
【０１１４】
また、小型の攪拌手段又は混入攪拌手段を複数個設けることにより、設備費及び処理費用はそれほど高くならず連続処理が可能となり、汚濁水１１の処理効率を高めたり、非常に丁寧な攪拌を行ったりすることができる。
【０１１５】
また、本発明によれば、凝集された沈殿物質は脱水性に優れ、脱水機を使うことにより廃棄物としての大幅な減量ができる。
【０１１６】
また、制御手段又はコンピュータ制御手段を備えることにより、汚濁水浄化装置を統括的な制御の下で運転し、高効率又は所望の効率で汚濁水を処理できる汚濁水浄化装置を提供することができる。
【図面の簡単な説明】
【図１】実施例１の汚濁水浄化装置を示す図
【図２】実施例２の汚濁水浄化装置を示す図
【図３】実施例３の汚濁水浄化装置を示す図
【図４】実施例４の汚濁水浄化装置を示す図
【図５】実施例５の汚濁水浄化装置を示す図
【図６】実施例６の汚濁水浄化装置を示す図
【図７】実施例７の汚濁水浄化装置を示す図
【図８】実施例８の汚濁水浄化装置を示す図
【図９】本発明における制御手段を示す図
【符号の説明】
１１  汚濁水
１２  水中ポンプ
１３  定流量弁
１４  混入手段
２０  攪拌手段
２１  攪拌槽
２２  プロペラ
２３  モータ
２４ａ、２４ｂ  混入攪拌手段
３０  沈殿手段
３１  沈殿槽
３２  排出バルブ
３３  上層水
３４  沈殿物質
３５  界面検出センサ
４０  脱水手段
４１  脱水機
４２  排出ケーキ
Ｐ  スラリーポンプ
【図１】
2004209357.tif 000003
【図２】
2004209357.tif 000004
【図３】
2004209357.tif 000005
【図４】
2004209357.tif 000006
【図５】
2004209357.tif 000007
【図６】
2004209357.tif 000008
【図７】
2004209357.tif 000009
【図８】
2004209357.tif 000010
【図９】
2004209357.tif 000011